(57)【要約】【課題】第１材と第２材の嵌合物である商品仕切り体において、商品仕切り体を構成する鉛直部の厚みを薄くした商品仕切り体を提供すること。【解決手段】第１材の嵌合部と第２材の嵌合部の入れ子構造部を鉛直部の下部に有するものであって、第１材の嵌合部は、第１基部の嵌合側の端から延出し縦列に並ぶｎ個の第１入れ子薄板を有し、隣接する２つの第１入れ子薄板は薄板面に直交する方向から見て互いに所定寸法離れて位置し、且つ基部側において連結部で連接され、ｎ個の第１入れ子薄板は、端面側から見て厚み方向に厚み分、互い違いに配置され、第２材の嵌合部は、第２基部の嵌合側の端から第１入れ子薄板と平行に延出し縦列に並ぶｎ個の第２入れ子薄板を有し、端面側から見て厚み方向に厚み分、第１入れ子薄板とは逆に対応して互い違いに配置され、入れ子構造部は、第１入れ子薄板と第２入れ子薄板が縦列方向に交互に入れ替わる重ね合わせ構造である商品仕切り体。【選択図】図２
2017093959.tif 000002
【特許請求の範囲】
【請求項１】
第１材の嵌合部と第２材の嵌合部の入れ子構造部を鉛直部の下部に有するものであって、
第１材の嵌合部は、第１基部の嵌合側の端から延出し縦列に並ぶ互いに同一形状又は異形状のｎ（ｎは３以上の整数）個の第１入れ子薄板を有し、
隣接する２つの第１入れ子薄板は薄板面に直交する方向から見て互いに所定寸法離れて位置し、且つ基部側において連結部で連接され、
ｎ個の第１入れ子薄板は、端面側から見て厚み方向に厚み分、互い違いに配置され、
第２材の嵌合部は、第２基部の嵌合側の端から第１入れ子薄板と平行に延出し縦列に並ぶ互いに同一形状又は異形状のｎ（ｎは３以上の整数）個の第２入れ子薄板を有し、
隣接する第２入れ子薄板は薄板面に直交する方向から見て互いに所定寸法離れて位置し、且つ基部側において連結部で連接され、
ｎ個の第２入れ子薄板は、端面側から見て厚み方向に厚み分、第１入れ子薄板とは逆に対応して互い違いに配置され、
入れ子構造部は、第１入れ子薄板と第２入れ子薄板が縦列方向に交互に入れ替わる重ね合わせ構造であることを特徴とする商品仕切り体。
【請求項２】
第１入れ子薄板と第２入れ子薄板の重ね面は、それぞれ平坦面であることを特徴とする請求項１記載の商品仕切り体。
【請求項３】
１つの第１入れ子薄板の外面と隣接する第２入れ子薄板の外面は面一であることを特徴とする請求項１又は２記載の商品仕切り体。
【請求項４】
隣り合わせの３つの第１入れ子薄板の中の少なくとも１つの第１入れ子薄板には、係止突起が形成され、対応する第２入れ子薄板には、該係止突起と係止する貫通穴が形成されていることを特徴とする請求項１〜３のいずれか１項に記載の商品仕切り体。
【請求項５】
第１入れ子薄板及び第２入れ子薄板は、薄板面に直交する方向から見て、略矩形状であることを特徴とする請求項１〜４のいずれか１項に記載の商品仕切り体。
【請求項６】
第１入れ子薄板及び第２入れ子薄板は、それぞれ厚みｔ１であり、入れ子構造部の厚みは２×ｔ１であることを特徴とする請求項１〜５のいずれか１項に記載の商品仕切り体。
【請求項７】
基部側の連結部は、第１入れ子薄板又は第２入れ子薄板の入れ側の端面から見て、傾斜状であることを特徴とする請求項１〜６のいずれか１項に記載の商品仕切り体。
【請求項８】
第１入れ子薄板の基部側の連結部の入れ方向長さは、第１入れ子薄板の入れ方向長さの略半分であることを特徴とする請求項１〜７のいずれか１項に記載の商品仕切り体。
【請求項９】
第２入れ子薄板の基部側の連結部の入れ方向長さは、第２入れ子薄板の入れ方向長さの略半分であることを特徴とする請求項１〜７のいずれか１項に記載の商品仕切り体。
【請求項１０】
隣り合わせの３つの第１入れ子薄板の中、少なくとも１つは、縦列方向長さが大の入れ子薄板であり、他の少なくとも１つは、縦列方向長さがそれよりも小の入れ子薄板であることを特徴とする請求項１〜９のいずれか１項に記載の商品仕切り体。
【請求項１１】
隣り合わせの３つの第２入れ子薄板の中、少なくとも１つは、縦列方向長さが大の入れ子薄板であり、他の少なくとも１つは、縦列方向長さがそれよりも小の入れ子薄板であることを特徴とする請求項１〜９のいずれか１項に記載の商品仕切り体。
【請求項１２】
第１入れ子薄板及び該第１入れ子薄板と重なり合う第２入れ子薄板は、縦列方向長さが同じであることを特徴とする請求項１〜１１のいずれか１項に記載の商品仕切り体。
【請求項１３】
第１入れ子薄板及び該第１入れ子薄板と重なり合う第２入れ子薄板は、縦列方向長さが僅かに異なることを特徴とする請求項１〜１１のいずれか１項に記載の商品仕切り体。
【請求項１４】
第１入れ子薄板及び該第１入れ子薄板と重なり合う第２入れ子薄板は、入れ方向における基部からの長さが同じであることを特徴とする請求項１〜１３のいずれか１項に記載の商品仕切り体。
【請求項１５】
第１入れ子薄板及び該第１入れ子薄板と重なり合う第２入れ子薄板は、入れ方向における基部からの長さが僅かに異なることを特徴とする請求項１〜１３のいずれか１項に記載の商品仕切り体。
【請求項１６】
商品陳列棚面に当接する略板状の水平部と、水平部の側端から起立する略板状の鉛直部を有することを特徴とする請求項１〜１５のいずれか１項に記載の商品仕切り体。
【請求項１７】
商品の前出しを兼ねたものであり、鉛直部の上部には、商品押圧体前出し用の引き出し桿の前後移動をガイドするガイド溝が付設されたものであることを特徴とする請求項１６に記載の商品仕切り体。
【請求項１８】
水平部には、商品押圧体の前後移動をガイドするガイドレールが付設されたものであることを特徴とする請求項１７に記載の商品仕切り体。
【発明の詳細な説明】
【技術分野】
【０００１】
本発明は、入れ子構造を有する鉛直部を薄肉化でき、商品の陳列面積を大きく採れる商品仕切り体に関するものである。
【背景技術】
【０００２】
スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
【０００３】
しかしながら、新しい商品を後方の空間へ補充する作業は、前方にある商品が邪魔をして行い難い。また、奥にある商品を手前に移すのも大変な作業となっている。近年、このような新しい商品の補充を行い易くしたり、商品を常に前出し状態にする方法として、固定された商品陳列棚に商品前出し機能を有する商品前出し体を設置して、陳列商品を自動的に前に押し出すものも知られている。
【０００４】
ＷＯ２００７−０２０７２５号公報には、商品を載置する基板と、該基板上に常に前方移動状態に置かれる自動商品押圧体と、該自動商品押圧体の後方に位置し、手動による引き出し操作により前方移動して該自動商品押圧体又は陳列商品を押し出す手動押圧体と、を有する商品前出し具が開示されている。この商品前出し具において、手動押圧体を引き出す引き出し桿は、基板の端部から起立する鉛直部材に形成されている。また、商品前出し具の基板には、自動商品押圧体の前方移動をガイドするガイドレールが形成されている。ガイドレールは基板面から起立状に逆Ｌ字形状の突起を前後方向に所定のピッチで多数形成したものである。このような逆Ｌ字形状の突起は、成形の都合上、突起の直下に下抜き及び横抜きの貫通穴が形成されている。この逆Ｌ字形状の突起を有する基板と鉛直部材からなるＬ字形状の基部は、一体成形ができず、基板と鉛直部材の嵌合物から作製せざるを得ない。このような基板と鉛直部材の嵌合物としては、図１３及び図１４に示すような３層構造のものが知られている。すなわち、この３層構造３００は、基板２００の端部から起立状の延びる起立部２００の上端に、長手方向に切られた溝２０１に、鉛直部材１００の下端１０１が嵌合した構造である。鉛直部材１００の下端１０１は、鉛直部材の本体部の厚みの約１/３とした係止薄板である。
【先行技術文献】
【特許文献】
【０００５】
【特許文献１】ＷＯ２００７−０２０７２５号公報
【発明の概要】
【発明が解決しようとする課題】
【０００６】
しかしながら、従来の２つの部材の嵌合による３層嵌合構造は、１層の板厚換算で３枚分の厚みとなり、仕切り板の厚みが大となる。従って、左右方向の陳列面積が狭くなり、幅広商品の陳列ができない等の問題があった。
【０００７】
従って、本発明の目的は、第１材と第２材の嵌合物である商品仕切り体において、商品仕切り体を構成する鉛直部の厚みを薄くした商品仕切り体を提供することにある。
【０００８】
すなわち、本発明は、上記課題を解決したものであって、第１材の嵌合部と第２材の嵌合部の入れ子構造部を鉛直部の下部に有するものであって、第１材の嵌合部は、第１基部の嵌合側の端から延出し縦列に並ぶ互いに同一形状又は異形状のｎ（ｎは３以上の整数）個の第１入れ子薄板を有し、隣接する２つの第１入れ子薄板は薄板面に直交する方向から見て互いに所定寸法離れて位置し、且つ基部側において連結部で連接され、ｎ個の第１入れ子薄板は、端面側から見て厚み方向に厚み分、互い違いに配置され、第２材の嵌合部は、第２基部の嵌合側の端から第１入れ子薄板と平行に延出し縦列に並ぶ互いに同一形状又は異形状のｎ（ｎは３以上の整数）個の第２入れ子薄板を有し、隣接する第２入れ子薄板は薄板面に直交する方向から見て互いに所定寸法離れて位置し、且つ基部側において連結部で連接され、ｎ個の第２入れ子薄板は、端面側から見て厚み方向に厚み分、第１入れ子薄板とは逆に対応して互い違いに配置され、入れ子構造部は、第１入れ子薄板と第２入れ子薄板が縦列方向に交互に入れ替わる重ね合わせ構造であることを特徴とする商品仕切り体を提供するものである。
【０００９】
また、本発明は、第１入れ子薄板と第２入れ子薄板の重ね面は、それぞれ平坦面であることを特徴とする前記商品仕切り体を提供するものである。
【００１０】
また、本発明は、１つの第１入れ子薄板の外面と隣接する第２入れ子薄板の外面は面一であることを特徴とする前記商品仕切り体を提供するものである。
【００１１】
また、本発明は、隣り合わせの３つの第１入れ子薄板の中の少なくとも１つの第１入れ子薄板には、係止突起が形成され、対応する第２入れ子薄板には、該係止突起と係止する貫通穴が形成されていることを特徴とする前記商品仕切り体を提供するものである。
【００１２】
また、本発明は、第１入れ子薄板及び第２入れ子薄板は、薄板面に直交する方向から見て、略矩形状であることを特徴とする前記商品仕切り体を提供するものである。
【００１３】
また、本発明は、第１入れ子薄板及び第２入れ子薄板は、それぞれ厚みｔ１であり、入れ子構造部の厚みは２×ｔ１であることを特徴とする前記商品仕切り体を提供するものである。
【００１４】
また、本発明は、基部側の連結部は、第１入れ子薄板又は第２入れ子薄板の入れ側の端面から見て、傾斜状であることを特徴とする前記商品仕切り体を提供するものである。
【００１５】
また、本発明は、第１入れ子薄板の基部側の連結部の入れ方向長さは、第１入れ子薄板の入れ方向長さの略半分であることを特徴とする前記商品仕切り体を提供するものである。
【００１６】
また、本発明は、第２入れ子薄板の基部側の連結部の入れ方向長さは、第２入れ子薄板の入れ方向長さの略半分であることを特徴とする前記商品仕切り体を提供するものである。
【００１７】
また、本発明は、隣り合わせの３つの第１入れ子薄板の中、少なくとも１つは、縦列方向長さが大の入れ子薄板であり、他の少なくとも１つは、縦列方向長さがそれよりも小の入れ子薄板であることを特徴とする前記商品仕切り体を提供するものである。
【００１８】
また、本発明は、隣り合わせの３つの第２入れ子薄板の中、少なくとも１つは、縦列方向長さが大の入れ子薄板であり、他の少なくとも１つは、縦列方向長さがそれよりも小の入れ子薄板であることを特徴とする前記商品仕切り体を提供するものである。
【００１９】
また、本発明は、第１入れ子薄板及び該第１入れ子薄板と重なり合う第２入れ子薄板は、縦列方向長さが同じであることを特徴とする前記商品仕切り体を提供するものである。
【００２０】
また、本発明は、第１入れ子薄板及び該第１入れ子薄板と重なり合う第２入れ子薄板は、縦列方向長さが僅かに異なることを特徴とする前記商品仕切り体を提供するものである。
【００２１】
また、本発明は、第１入れ子薄板及び該第１入れ子薄板と重なり合う第２入れ子薄板は、入れ方向における基部からの長さが同じであることを特徴とする前記商品仕切り体を提供するものである。
【００２２】
また、本発明は、第１入れ子薄板及び該第１入れ子薄板と重なり合う第２入れ子薄板は、入れ方向における基部からの長さが僅かに異なることを特徴とする前記商品仕切り体を提供するものである。
【００２３】
また、本発明は、商品陳列棚面に当接する略板状の水平部材と、水平部材の側端から起立する略板状の鉛直部材を有し、入れ子構造部は、鉛直部材の下端部に形成されたことを特徴とする前記商品仕切り体を提供するものである。
【００２４】
また、本発明は、商品の前出しを兼ねたものであり、鉛直部材の上部には、商品押圧体前出し用の引き出し桿の前後移動をガイドするガイド溝が付設されたものであることを特徴とする前記商品仕切り体を提供するものである。
【００２５】
また、本発明は、水平部材には、商品押圧体の前後移動をガイドするガイドレールが付設されたものであることを特徴とする前記商品仕切り体を提供するものである。
【発明の効果】
【００２６】
本発明によれば、第１材と第２材の嵌合物である商品仕切り体において、強い嵌合強度を保持したまま、商品仕切り体を構成する鉛直部の厚みを薄くすることができる。
【図面の簡単な説明】
【００２７】
【図１】本発明の第１の実施の形態における商品仕切り体の斜視図である。
【図２】図１の商品仕切り体の分解斜視図である。
【図３】図１の商品仕切り体の入れ子構造部を符号Ｗ方向から見た図である。
【図４】図３の商品仕切り体の分解斜視図である。
【図５】図３のＸ-Ｘに沿って見た端面図である。
【図６】（Ａ）は図４のＹ１-Ｙ１に沿って見た端面図であり、（Ｂ）は図４のＹ２-Ｙ２に沿って見た端面図である。
【図７】（Ａ）は図４のＹ３-Ｙ３に沿って見た断面図であり、（Ｂ）は図４のＹ４-Ｙ４に沿って見た断面図である。
【図８】入れ子構造部の変形例である。
【図９】入れ子構造部の他の変形例である。
【図１０】入れ子構造部の他の変形例である。
【図１１】本発明の第２の実施の形態における商品仕切り体の斜視図である。
【図１２】図１１の商品仕切り体の他の斜視図である。
【図１３】従来の商品仕切り体の分解斜視図を示す。
【図１４】（Ａ）は図１３の商品仕切り体の縦断面図を示し、（Ｂ）は嵌合後の商品仕切り体の縦断面図を示す。
【発明を実施するための形態】
【００２８】
本発明の第１の実施の形態における商品仕切り体を図１〜図７を参照して説明する。図１及び図２に示すように、商品仕切り体１０は、第１材１と第２材２の嵌合体である。第１材１は、ｎ個（ｎは３以上の整数）の第１入れ子薄板（以下、単に「薄板」とも言う。）４ａ〜４ｆを有する略板状体である。第２材２は、起立部にｎ個（ｎは３以上の整数）の第２入れ子薄板３ａ〜３ｆを有する正面視が略Ｌ字形状の部材である。第１入れ子薄板４ａ〜４ｆ及び第２入れ子薄板３ａ〜３ｆ共に、ｎは本例では６である。商品仕切り体１０は、本例では、第２材２の水平部が水平部となり、第１材１と第２材２の起立部２１で鉛直部１１を形成する。すなわち、商品仕切り体１０において、第１材１の嵌合部（第１入れ子薄板４ａ〜４ｆ）と第２材２の嵌合部（第２入れ子薄板３ａ〜３ｆ）の入れ子構造部５０は、鉛直部１１の下部に位置する。これにより、鉛直部１１の厚みを薄板の２枚厚とすることができる。第１入れ子薄板４ａ〜４ｆ又は第２入れ子薄板３ａ〜３ｆの厚みは、１〜２ｍｍ、好適には１．５ｍｍである。第１材１及び第２材２は共に、樹脂製であり、特にＡＢＳ樹脂が好ましい。
【００２９】
商品仕切り体１０において、第１材１の嵌合部４は、第１基部１２の嵌合側の端から延出し縦列に並ぶ互いに同一形状又は異形状のｎ（本例では６つ）個の第１入れ子薄板４ａ〜４ｆを有し、隣接する２つの第１入れ子薄板は薄板面に直交する方向から見て互いに所定寸法（符号ｇ）離れて位置し、且つ基部１２側において連結部６ａ〜６ｆで連接され、６個の第１入れ子薄板４ａ〜４ｆは、端面（入れ側の端面）側から見て厚み方向に厚み分、互い違いに配置されている（図５〜図７）。縦列とは、図２の符号ｕ方向を言う。すなわち、第１入れ子薄板４ａ〜４ｆは、図４基準で説明すると、第１入れ子薄板４ａは基部１２から下方に延出し、且つ基部１２の厚み方向の奥側半分に形成され、第１入れ子薄板４ｂは基部１２から延出し、且つ基部１２の厚み方向の手前側半分に形成され、第１入れ子薄板４ｃは基部１２から延出し、且つ基部１２の厚み方向の奥側半分に形成され、第１入れ子薄板４ｄは基部１２から延出し、且つ基部１２の厚み方向の手前半分に形成され、第１入れ子薄板４ｅは基部１２から延出し、且つ基部１２の厚み方向の奥側半分に形成され、第１入れ子薄板４ｆは基部１２から延出し、且つ基部１２の厚み方向の手前半分に形成されている（図７参照）。すなわち、２つの隣接する薄板において、一方の薄板の重ね合わせとなる面と、他方の薄板の重ね合わせとなる面は、端面側から見て、面一である。
【００３０】
第１入れ子薄板４ａ〜４ｆは、本例では、薄板面に直交する方向から見て、長さ（高さ）ｑの略矩形状である。また、第１入れ子薄板４ａ〜４ｆの内、第１入れ子薄板４ａ、４ｂ、４ｅ、４ｆは互いに同一形状であり、第１入れ子薄板４ｃと４ｄは第１入れ子薄板４ａ、４ｂ、４ｅ、４ｆと異なる形状であって、互いに同一形状である。第１入れ子薄板４ａ〜４ｆの形状の異なる部分は、縦列方向の長さ（幅寸法）である。第１材１の基部１２は、図２に示すように、高さ（幅）ｂ１、奥行長さｂ２であって、薄板の厚みの２倍の厚みを有している。第１入れ子薄板４ａ〜４ｆの入れ側の先端の角はアールであることが好ましい。
【００３１】
第１入れ子薄板４ａ〜４ｆのそれぞれは、基部１２の厚み半分に形成されている（図７）。このため、薄板の一方の側面は基部１の側面と面一であり、当該薄板の他方の側面は基部１の側面と段差を介して段違いとなっている（図７）。第１入れ子薄板は、図２のものに限定されず、隣り合わせの３つの第１入れ子薄板４の中、少なくとも１つは、縦列方向長さが大の入れ子薄板であり、他の少なくとも１つは、縦列方向長さがそれよりも小の入れ子薄板であることが好ましい。
【００３２】
隣接する２つの第１入れ子薄板間で且つ薄板の延出方向略中央から先端に形成される隙間（符号ｇ）は、１．５〜３ｍｍ程度である。連結部６ａ〜６ｅは、２つの第１入れ子薄板間で且つ薄板の延出方向略中央から基部側に形成される。連結部６ａ〜６ｅは、２つの第１入れ子薄板が厚み方向において互い違いに形成されるため、薄板の入れ側（薄板の端面側）から見て、傾斜状である（図７参照）。また、連結部６ａ〜６ｅの厚みは、薄板の厚みと同じでよい。このように、第１入れ子薄板４ａ〜４ｆは、基部１２と連結部６ａ〜６ｅが一体である。連結部６ａ〜６ｅとその先端側に位置する隙間８ａ〜８ｅが存在することで、第１材と第２材の嵌め込みが行い易く、且つ嵌合強度が高くなる。連結部６ａ〜６ｅは、薄板の延出長さの半分以下であってもよい。但し、連結部６ａ〜６ｅが存在しないと、第１材１と第２材２が強く嵌合できない。
【００３３】
図２に示すように、隣り合わせの３つの第１入れ子薄板の中の少なくとも１つの第１入れ子薄板の略中央には、係止突起７０と係止する貫通穴６０が形成されている。貫通穴６０は、本例では四角形の貫通穴である。貫通穴の先側（嵌合側）の穴壁は厚み方向に直交する直角壁が好ましい。貫通穴６０は、第１入れ子薄板４の係止突起７０と係止して、第１材１と第２材２の嵌合を強くすると共に、外れ難くしている。なお、貫通穴６０は、第２入れ子薄板に形成してもよく、この場合、係止突起７０は対応する第１入れ子薄板に形成される。
【００３４】
商品仕切り体１０において、第２材２の嵌合部２１は、第２基部２２の嵌合側の端から延出し（本例では起立し）第１入れ子薄板４と平行に延出し縦列に並ぶ互いに同一形状又は異形状のｎ（ｎは３以上の整数）個、本例では６個の第２入れ子薄板３ａ〜３ｆを有し、隣接する第２入れ子薄板３ａ〜３ｆは薄板面に直交する方向から見て互いに所定寸法（符号ｈ）離れて位置し、且つ第２基部側において連結部５ａ〜５ｅで連接され、６個の第２入れ子薄板３ａ〜３ｆは、端面側から見て厚み方向に厚み分、第１入れ子薄板４ａ〜４ｆとは逆に対応して互い違いに配置されている（図５〜図７）。縦列とは、図２の符号ｕ方向を言う。すなわち、第２入れ子薄板３ａ〜３ｆは、図４基準において、第２入れ子薄板３ａは基部２２の嵌合側の端から上方に延出し、且つ基部２２の厚み方向の手前側半分に形成され、第２入れ子薄板３ｂは基部２２の嵌合側の端から上方に延出し、且つ基部２２の厚み方向の奥側半分に形成され、第２入れ子薄板３ｃは基部２２の嵌合側の端から上方に延出し、且つ基部２２の厚み方向の手前側半分に形成され、第２入れ子薄板３ｄは基部２２の嵌合側の端から上方に延出し、且つ基部２２の厚み方向の奥側半分に形成され、第２入れ子薄板３ｅは基部２２の嵌合側の端から上方に延出し、且つ基部２２の厚み方向の手前側半分に形成され、第２入れ子薄板３ｆは基部２２の嵌合側の端から上方に延出し、且つ基部２２の厚み方向の奥側半分に形成されている（図６参照）。すなわち、第２入れ子薄板３ａ〜３ｆにおいて、２つの隣接する薄板は、一方の薄板の重ね合わせとなる面と、他方の薄板の重ね合わせとなる面は端面側から見て、面一である。
【００３５】
第２入れ子薄板３ａ〜３ｆは、本例では、薄板面に直交する方向から見て、略矩形状である。また、第２入れ子薄板３ａ〜３ｆの内、第２入れ子薄板３ａ、３ｂ、３ｅ、３ｆは互いに同一形状であり、第２入れ子薄板３ｃと３ｄは第２入れ子薄板３ａ、３ｂ、３ｅ、３ｆと異なる形状であって、互いに同一形状である。第２入れ子薄板３ａ〜３ｆの形状の異なる部分は、縦列方向の長さ（幅寸法）である。第２材２の基部２２は、図２に示すように、商品仕切り体１０における水平部である。すなわち、第２材２は、水平部２２と水平部２２の一方の側端から嵌合部（第２入れ子薄板）が起立するものである。第２入れ子薄板３ａ〜３ｆの入れ側の先端の角はアールであることが好ましい。
【００３６】
第２入れ子薄板は、図２のものに限定されず、隣り合わせの３つの第２入れ子薄板３の中、少なくとも１つは、縦列方向長さが大の入れ子薄板であり、他の少なくとも１つは、縦列方向長さがそれよりも小の入れ子薄板であることが好ましい。
【００３７】
隣接する２つの第２入れ子薄板間で且つ薄板の延出方向略中央から先端に形成される隙間（符号ｈ）は、１．５〜３ｍｍ程度である。連結部５ａ〜５ｅは、２つの第２入れ子薄板間で且つ薄板の延出方向略中央から基部側に形成される。連結部５ａ〜５ｅは、２つの第２入れ子薄板が厚み方向において互い違いに形成されるため、薄板の入れ側（薄板の端面側）から見て、傾斜状である（図６参照）。また、連結部５ａ〜５ｅの厚みは、薄板の厚みと同じでよい。このように、第２入れ子薄板３ａ〜３ｆは、基部２２と連結部５ａ〜５ｅが一体である。連結部５ａ〜５ｅとその先端側に位置する隙間７ａ〜７ｅが存在することで、第１材と第２材の嵌め込みが行い易く、且つ嵌合強度が高くなる。連結部５ａ〜５ｅは、薄板の延出長さの半分以下であってもよい。但し、連結部５ａ〜５ｅが存在しないと、第１材１と第２材２が強く嵌合できない。
【００３８】
図２に示すように、隣り合わせの３つの第２入れ子薄板の中の少なくとも１つの第２入れ子薄板の重ね合わせ面の略中央には、係止突起７０が形成されている。係止突起７０は、突起高さは０．５〜１．０ｍｍ程度でよく、反入れ側が薄板面から直角に起立し、入れ側方向に下り傾斜している。これにより、第１材１と第２材２は嵌め込み易く、且つ係止突起７０が第１入れ子薄板の貫通穴の直角壁に係止するため、第１材１と第２材２の嵌合は強く、且つ両者は外れ難くなる。係止突起７０及び貫通穴６０は、第１入れ子薄板４ａ〜４ｆ及び第２入れ子薄板３ａ〜３ｆの内、縦列方向長さ（幅寸法）が小の薄板に形成すると嵌め易く、且つ強い嵌合強度が得られる。また、係止突起７０及び貫通穴６０の設置数は、本例のように全体でそれぞれ４箇所に限定されず、任意の２箇所であってもよい。
【００３９】
商品仕切り体１０の入れ子構造部５０は、図５に示すように、第１入れ子薄板４と第２入れ子薄板３が縦列方向に交互に入れ替わる重ね合わせ構造であり、第１材１と第２材２を互の入れ子薄板の端面同士を対峙させて入れ込むことで得られる。第１入れ子薄板４ａ〜４ｆと第２入れ子薄板３ａ〜３ｆは、厚み方向の凹凸が噛み合い、且つ第１入れ子薄板とこれに重なり合う第２入れ子薄板は、縦列方向長さが同じであるため、互いに重なり合う（ネスティングされる）。ネスティングの際、薄板は少し撓みつつ重なり合い、係止突起７０が貫通穴に嵌った時点で、入れ子構造部５０を形成する。入れ子構造部５０の嵌合は、第１入れ子薄板係止４と第２入れ子薄板３の交互の重なり合いで、互いの薄板の重ね面はそれぞれ平坦面であり、且つ係合突起７０の鉛直壁と貫通穴の直角内壁が係止しており、薄板面に沿った方向に第１材１と第２材２を引き離しても離れない。また、連結部５ａ〜５ｆとその先端側に位置する隙間７ａ〜７ｆが存在することで、第１材と第２材の嵌め込みが行い易く、且つ嵌合強度が高くなる。第１入れ子薄板及び第２入れ子薄板は、それぞれ厚みｔ１であり、入れ子構造部５０の厚みは２×ｔ１である。
【００４０】
商品仕切り体１０は、入れ子構造部５０を鉛直部１１に有するものであれば、鉛直部や水平部に種々の機能を奏する要素が形成されていてもよい。例えば商品仕切り体１０は、商品仕切り機能を有する商品の前出しを兼ねたものであってもよい。この場合、第１材１である鉛直部の上部には、商品押圧体前出し用の引き出し桿の前後移動をガイドする第１ガイド溝が付設されていてもよい。また、第２材２の基部２２である水平部には、商品押圧体の前後移動をガイドするガイドレールが付設されていてもよい。従来、商品仕切り体は、鉛直部の厚みが嵌合する薄板の３枚分であったが、本発明の商品仕切り体１０であれば、薄板２枚分の厚みでよく、商品の陳列面積が向上する。
【００４１】
次に、本発明の第２の実施の形態における商品仕切り体１０Ａを図８を参照して説明する。図８において、図４と同一構成要素には同一符号を付して、その説明を省略し異なる点について主に説明する。すなわち、図８において、図４と異なる点は、第１入れ子薄板の形状と第２入れ子薄板の形状である。但し、図８は、隣接する３つの入れ子薄板のみを記載した。すなわち、第１入れ子薄板１４ａの縦列方向の長さｌ１は、対応する第２入れ子薄板１３ａの縦列方向の長さｍ１より僅かに大であり、第１入れ子薄板１４ｂの縦列方向の長さｌ２は、対応する第２入れ子薄板１３ｂの縦列方向の長さｍ２と同じであり、第１入れ子薄板１４ｃの縦列方向の長さｌ３は、第２入れ子薄板１３ｃの縦列方向の長さｍ３より僅かに大である。以下、第１入れ子薄板１４ｄ〜１４ｆの形状と第２入れ子薄板１３ｄ〜１３ｆの形状についても同様である。なお、第１入れ子薄板と第２入れ子薄板の縦列方向の長さの大小は、上記とは逆に第２入れ子薄板の縦列方向の長さを、第１入れ子薄板の縦列方向の長さより僅かに大としてもよい。すなわち、本発明の商品仕切り体において、第１入れ子薄板４及び第１入れ子薄板４と重なり合う第２入れ子薄板３は、縦列方向長さが僅かに異なっていてもよい。これにより、第１材１と第２材２をネスティング（重ね合わせ）する際、第１の実施の形態のものと比較して、ネスティングが円滑に進む。上記僅かな寸法は、０．３〜０．５ｍｍ程度でよい。
【００４２】
次に、本発明の第３の実施の形態における商品仕切り体１０Ｂを図９を参照して説明する。図９において、図４と同一構成要素には同一符号を付して、その説明を省略し異なる点について主に説明する。すなわち、図９において、図４と異なる点は、第１入れ子薄板の形状又は第２入れ子薄板の形状である。但し、図９は、隣接する４つの入れ子薄板のみを記載した。すなわち、３つの第１入れ子薄板２４ａ〜２４ｃの内、真ん中の第１入れ子薄板２４ｂの薄板の延出する方向の長さｈ２は、隣り合わせの第１入れ子薄板２４ａ及び２４ｃの薄板の延出する方向の長さｈ１、ｈ３より僅かに大であり、３つの第１入れ子薄板２４ｃ〜２４ｅの内、真ん中の第１入れ子薄板２４ｄの薄板の延出する方向の長さｈ４は、隣り合わせの第１入れ子薄板２４ｃ及び２４ｅの薄板の延出する方向の長さｈ３、ｈ５より僅かに大である。なお、第２入れ子薄板２３の形状は、第１の実施の形態のものと同様である。なお、第１入れ子薄板と第２入れ子薄板の入れ方向の長さの関係は、上記とは逆に第２入れ子薄板において、入れ方向の長さが変化し、第１入れ子薄板の入れ方向の長さが第１の実施の形態のものと同様であってもよい。すなわち、本発明の商品仕切り体において、第１入れ子薄板及び該第１入れ子薄板と重なり合う第２入れ子薄板は、入れ方向における基部からの長さが僅かに異なるものであってもよい。上記僅かな寸法は、０．３〜０．５ｍｍ程度でよい。これにより、第１材１と第２材２をネスティング（重ね合わせ）する際、第１の実施の形態のものと比較して、ネスティングが円滑に進む。
【００４３】
次に、本発明の第４の実施の形態における商品仕切り体１０Ｃを図１０を参照して説明する。図１０において、図４と同一構成要素には同一符号を付して、その説明を省略し異なる点について主に説明する。すなわち、図１０において、図４と異なる点は、第１入れ子薄板の形状又は第２入れ子薄板の形状である。但し、図１０は、隣接する３つの入れ子薄板のみを記載した。すなわち、図１０の第１入れ子薄板及び第２入れ子薄板は、薄板の入れ方向の先端側形状がいずれも丸みを帯びたものである。すなわち、第１入れ子薄板及び第２入れ子薄板において、連結部より先の部分は、このような丸みを帯びていてもよい。このような商品仕切り体であっても、仕切り板の厚みを小さくすると共に、強い嵌合強度が得られる。
【００４４】
次に、本発明の第５の実施の形態における商品仕切り体１０Ｄを図１１を参照して説明する。図１１において、図１と同一構成要素には同一符号を付して、その説明を省略し異なる点について主に説明する。すなわち、商品仕切り体１０Ｄにおいて、設置面に置かれる第２材４２と起立状の第１材４１の入れ子による嵌合構造は、図１の商品仕切り体１０と同様であり、異なる点は、商品仕切り体１０に商品の前出し機能を付与した点である。商品前出し具１０Ｄは、第１材４１に前後方向移動自在に支持され後端が商品押圧体６０に接続する引き出し桿４３と、陳列商品を後方から前方へ押し出す商品押圧体６０と、側板である第１材４１から側方向に延出する後方支持体４４と商品押圧体６０の間に接続される常時、商品押圧体６０を後方へバネ付勢するコイルバネ４５と、を有する。コイルバネ４５の一端は後方支持体４４の先端に固定され、他の一端は商品押圧体６０に接続されている。商品前出し具１０Ｄにおいて、鉛直部は入れ子構造部５０を有する第１材４１であり、水平部は第２入れ子薄板を除く第２材４２である。
【００４５】
側板である第１材４１の上部で前後方向には、引き出し桿４３の前後移動をガイドするガイド溝４６が形成されている。ガイド溝４６は、第１材の内側面より所定高さを隔てて、鈎状の突起４７が前後方向に所定のピッチで複数形成され、上下の一対の鈎状の突起４７間が、溝幅となっている。鈎状の突起とは、第１材４１の内側面より側方に僅かに延出し、次いで溝側に屈曲して延出するＬ字断面のフック形状である。このガイド溝４６に引き出し桿４３の桿本体部４３１が嵌り、上下の移動が規制され、前後方向に移動自在となっている。  
【００４６】
引き出し桿４３は、後端が商品押圧体６０に接続されており、前端部には、貫通穴を形成することで摘み易くした把持部４３２を形成している。引き出し桿４３の本体部は薄板であり、第１材１のガイド溝４６に嵌合している。引き出し桿４３の把持部４３２を手で摘んで前方へ引き出すことにより、商品押圧体６０を前方へ移動させることができる。これにより、商品押圧体６０より前方に位置する商品が前出しされる。商品押圧体６０は、前方に位置する小押圧体６１と連結部材６２により一体となっている。商品は、商品押圧体６０と小押圧体６１間に陳列すると共に、小押圧体６１と前方の転落防止板６３間に陳列される。商品押圧体６０と小押圧体６１間に陳列された商品は、引き出し桿４３の引き出しと共に、前方へ移動するものの、引き出し桿４３から手が離れることで、バネ力により自動的に後方へ戻る。一方、小押圧体６１と転落防止板６３間に陳列された商品は、前出しされ、引き出し桿４３が戻っても、前方へ置き去りにされたままとなる。
【００４７】
第２材４２の幅方向の中央には、前後方向に延びるガイドレール４８が形成されている。ガイドレール４８は商品押圧体６０の移動をガイドするものである。ガイドレール４８は、所定幅で対峙する両側部材７１、７１と、両側部材７１、７１の内側の端面の上部から内側に延び、且つ前後方向に所定のピッチで多数形成される突起４９で形成される。
【００４８】
コイルバネ４５は、固定側の後方支持体４４の先端係止部と、移動側の商品押圧体６０を接続するものである。コイルバネ５の接続は、静止状態（待機状態）において、コイルバネのバネ力が作用するような張り方である。これにより、常時、商品押圧体６０を後方へ付勢することができる。
【００４９】
商品前出し具１０Ｄによれば、第２材４２にガイドレール４８が形成されており、金型成形においては、第１材４１と第２材４２の一体成形はできない。このため、水平部材となる第２材と鉛直部材となる第１材の嵌合構造（入れ子構造部）を採ることになる。この場合、従来の商品前出し具であれば、図１３及び図１４に示すように、鉛直部材の厚みが係止薄板の厚み（ｔ１）の３倍の厚みとなってしまう。これに対して、本発明の商品前出し具１０Ｄによれば、薄板２枚分の厚みでよく、商品の陳列面積が向上する。
【００５０】
本発明は、上記実施の形態例に限定されず、種々の変更を採ることができる。本発明の商品前出し具は、下方部材と上方部材が嵌合した鉛直部（仕切り板）のみあってもよい。この場合、上方部材は図２の第１材であり、下方部材は図２の第２材の第２入れ子薄板であり、該第２入れ子薄板の下端に、棚板面の係止穴に係止する係止片が形成されたものが使用できる。図１の商品仕切り体１０において、入れ子構造部５０は、鉛直部の高さ方向の中央部としてもよい。この場合、第２材の鉛直部において、第２入れ子薄板の下方に所定高さの基部がくる。商品仕切り体１０〜１０Ｄにおいて、入れ子薄板の個数が２以下であると、強い嵌合が望めない。すなわち、入れ子薄板の個数が少なくとも３個であれば、真ん中の入れ子薄板に係止突起と貫通穴が形成されることになるが、第１材と第２材の嵌合をスライドさせて外す際、真ん中の入れ子薄板の両者を面と直交する方向に引き離そうとしても、両側の入れ子が互いに重なっているため、引き離しが困難となる。このため、ｎ数は５個以上が特に好ましい。本発明の係止突起と貫通穴を有する商品仕切り体において、第１材と第２材が嵌合して入れ子構造部を形成すると、嵌め殺しとなり、無理に外そうとすると、第１材や第２材が破損することになる。また、商品仕切り体１０〜１０Ｄにおいて、第１材の前後方向の端部に内側に延びる第１係止片を設け、第２材の第１係止片に対応する位置に第２係止片を設け、第１係止片と第２係止片が係止するようにしてもよい。これにより、第１材と第２材の嵌合が外れ難くなる。本発明において、係止突起とこれと係止す貫通穴は任意の構成要素である。第１材１と第２材２に係止突起と貫通穴がなくとも、第１材１と第２材２は重なり合って仕切り板の厚みを薄くできる。また、第１材１と第２材２に係止突起と貫通穴がなくとも、第１材１と第２材２の端部に、公知の係止凹部又は係止凸部を設け、凹凸同士を係止させてもよい。
【産業上の利用可能性】
【００５１】
本発明によれば、第１材と第２材の嵌合物である商品仕切り体において、商品仕切り体を構成する鉛直部の厚みを薄くでき、且つ見かけ１枚の仕切り板となり、使い勝手がよくなる。また、陳列棚の左右方向の陳列面積を大とすることができる。また、入れ子構造部に、係止突起と貫通穴を形成させれば、第１材と第２材の嵌合は強い嵌合となり、且つ嵌め殺しとなり、容易には外れない。
【符号の説明】
【００５２】
１、４１    第１材
２、４２    第２材
３、３ａ〜３ｅ    第１入れ子薄板
４、４ａ〜４ｅ    第２入れ子薄板
５、５ａ〜５ｅ    第１入れ子薄板の連結部
６、６ａ〜６ｅ    第２入れ子薄板の連結部
７ａ〜７ｆ        第１入れ子薄板の隙間
８ａ〜８ｆ        第２入れ子薄板の隙間
１０、１０Ａ〜１０Ｄ  商品仕切り体
１１          第１材の基部
２１          第２材の基部
４３          引き出し桿
４４      後方支持体
４５      コイルバネ
４６      ガイド溝
４８      ガイドレール
５０      入れ子構造部
６０      貫通穴
７０      係止突起 
【図１】
2017093959.tif 000003
【図２】
2017093959.tif 000004
【図３】
2017093959.tif 000005
【図４】
2017093959.tif 000006
【図５】
2017093959.tif 000007
【図６】
2017093959.tif 000008
【図７】
2017093959.tif 000009
【図８】
2017093959.tif 000010
【図９】
2017093959.tif 000011
【図１０】
2017093959.tif 000012
【図１１】
2017093959.tif 000013
【図１２】
2017093959.tif 000014
【図１３】
2017093959.tif 000015
【図１４】
2017093959.tif 000016